(57)【特許請求の範囲】
【請求項１】
基準時刻を管理する時刻管理装置と、時計手段を有し、この時計手段で計測される時刻と前記基準時刻との差分値を基準に動作する端末装置とを備える時刻管理制御システムにおいて、
前記端末装置から前記時刻管理装置に対し前記基準時刻を問い合わせる問い合わせ手段と、
前記問い合わせに対し、前記時刻管理装置から前記端末装置に対し送信される基準時刻情報に前記時刻管理装置の運用状況を示すフラグを付与して送信する基準時刻情報送信手段と、
前記基準時刻情報を受信した端末装置により前記基準時刻情報と前記時計手段で計測される時刻情報とを比較して前記基準時刻の変動を判断し、その変動量に応じて、前記差分値の更新を行なう差分値更新手段と、
前記端末装置にて受信した基準時刻情報に付与されたフラグを抽出し、このフラグから前記時刻管理装置の運用状況を判断し、この判断結果に基づいて、前記差分値更新手段に対して処理の実行・停止を制御する実行・停止制御手段とを具備することを特徴とする時刻管理制御システム。
【請求項２】
基準時刻を管理する時刻管理装置と、時計手段を有し、この時計手段で計測される時刻と前記基準時刻との差分値を基準に動作する端末装置とを備える時刻管理制御システムにおいて、
前記基準時刻の変動が検出された際に、前記時刻管理装置から前記端末装置に対し基準時刻情報に運用状態を示すフラグを付加して送信する基準時刻情報送信手段と、
前記基準時刻情報を受信した端末装置により前記基準時刻情報と前記時計手段で計測される時刻情報とを比較して前記基準時刻の変動を判断し、その変動量に応じて、前記差分値の更新を行なう差分値更新手段と、
前記端末装置にて受信した基準時刻情報に付与されたフラグを抽出し、このフラグから前記時刻管理装置の運用状況を判断し、この判断結果に基づいて、前記差分値更新手段に対して処理の実行・停止を制御する実行・停止制御手段とを具備することを特徴とする時刻管理制御システム。
【請求項３】
前記基準時刻情報送信手段は、前記基準時刻情報に基準時刻対応による運用時／試験時を示すフラグを付与して送信し、
前記実行・停止制御手段は、受信した基準時刻情報に付与されたフラグから基準時刻対応による運用時であると判断した場合に、前記差分値更新手段の実行制御を行ない、試験時であると判断した場合に、前記差分値更新手段の停止制御を行なうことを特徴とする請求項１または２記載の時刻管理制御システム。
【請求項４】
前記基準時刻情報送信手段は、前記基準時刻情報にサマータイム運用時／試験時を示すフラグを送信することを特徴とする請求項３記載の時刻管理制御システム。
【請求項５】
複数の端末装置の動作に用いられる基準時刻を管理する時刻管理装置において、ある特定の端末装置から前記基準時刻の問い合わせを受信した場合に、前記複数の端末装置に対し送信すべき基準時刻情報に、自装置の運用状況が基準時刻対応による運用時かあるいは試験時かを示すフラグを付与して送信するための基準時刻情報送信手段を備え、
前記端末装置にて基準時刻情報を受信した際に、フラグを抽出することで運用状況に応じた制御を行なえるようにしたことを特徴とする時刻管理装置。
【請求項６】
複数の端末装置の動作に用いられる基準時刻を監視する時刻管理装置において、前記基準時刻の変動が検出された際に、ある特定の端末装置に対し基準時刻情報に、自装置の運用状況が基準時刻対応による運用時かあるいは試験時かを示すフラグを付与して送信するための基準時刻情報送信手段を備え、
前記端末装置にて基準時刻情報を受信した際に、フラグを抽出することで運用状況に応じた制御を行なえるようにしたことを特徴とする時刻管理装置。
【請求項７】
前記基準時刻情報送信手段は、前記基準時刻情報にサマータイム運用時あるいは試験時を示すフラグを送信することを特徴とする請求項５または６記載の時刻管理装置。
【請求項８】
時計手段を有し、この時計手段で計測される時刻と時刻管理装置により管理される基準時刻との差分値を基準に動作する端末装置において、
前記時刻管理装置にて基準時刻情報に該時刻管理装置の運用状況を示すフラグが付与されるとき、
前記時刻管理装置に対し前記基準時刻を問い合わせるための問い合わせ手段と、
この問い合わせに対する基準時刻情報を受信する基準時刻情報受信手段と、
この基準時刻情報受信手段により受信された基準時刻情報と前記時刻手段で計測される時刻情報とを比較して前記基準時刻の変動を判断し、その変動量に応じて、前記差分値の更新を行なう差分値更新手段と、
受信した基準時刻情報に付与されたフラグを抽出し、このフラグから前記時刻管理装置の運用状況を判断し、この判断結果に基づいて、前記差分値更新手段に対して処理の実行・停止を制御する実行・停止制御手段とを具備することを特徴とする端末装置。
【請求項９】
時計手段を有し、この時計手段で計測される時刻と時刻管理装置により管理される基準時刻との差分値を基準に動作する端末装置において、
基準時刻の変動時に、前記時刻管理装置にて基準時刻情報に該時刻管理装置の運用状況を示すフラグが付与されるとき、
前記時刻管理装置から基準時刻情報を受信する基準時刻情報受信手段と、
この基準時刻情報受信手段により受信した基準時刻情報と前記時計手段で計測される時刻情報とを比較して前記基準時刻の変動を判断し、その変動量に応じて、前記差分値の更新を行なう差分値更新手段と、
受信した基準時刻情報に付与されたフラグを抽出し、このフラグから前記時刻管理装置の運用状況を判断し、この判断結果に基づいて、前記差分値更新手段に対して処理の実行・停止を制御する実行・停止制御手段とを具備することを特徴とする端末装置。
【請求項１０】
前記実行・停止制御手段は、受信した基準時刻情報に付与されたフラグから基準時刻対応による運用時であると判断した場合に、前記差分値更新手段の実行制御を行ない、試験時であると判断した場合に、前記差分値更新手段の停止制御を行なうことを特徴とする請求項８または９記載の端末装置。
【請求項１１】
前記実行・停止制御手段は、受信した基準時刻情報に付与されたフラグからサマータイム運用時であると判断した場合に、前記差分値更新手段の実行制御を行なうことを特徴とする請求項１０記載の端末装置。
【請求項１２】
内部時刻計測プロセスと、外部からの基準時刻情報を入力する基準時刻情報入力プロセスと、この基準時刻情報入力プロセスにより入力される基準時刻情報と前記内部時刻計測プロセスにより計測される時刻とを比較してオフセット値を算出し格納するオフセット値記憶プロセスと、前記内部時刻計測プロセスで計測される時刻及び前記オフセット値記憶プロセスに格納されたオフセット値に基づいて動作する複数の処理プロセスとを備えるコンピュータ装置において、前記基準時刻情報に運用状況を示すフラグが付与されているとき、前記基準時刻情報が入力された際に、この基準時刻情報と前記内部時刻計測プロセスによる時刻とを比較して基準時刻の変動を判断し、この変動量に応じて、前記オフセット値記憶プロセスに格納されたオフセット値の更新を行なうオフセット値更新手段と、受信した前記基準時刻情報からフラグを抽出し、このフラグから運用状況を判断し、この判断結果に基づいて、前記オフセット値更新手段に対して処理の実行・停止を制御する実行・停止制御手段とを具備することを特徴とするコンピュータ装置。
【請求項１３】
前記基準時刻情報に基準時刻対応による運用時／試験時を示すフラグが付与されている場合に、前記実行・停止制御手段は、受信した基準時刻情報に付与されたフラグから基準時刻対応による運用時であると判断した場合に、前記オフセット値更新手段の実行制御を行ない、試験時であると判断した場合に、前記オフセット値更新手段の停止制御を行なうことを特徴とする請求項１２記載のコンピュータ装置。
【請求項１４】
前記基準時刻情報にサマータイム運用時／試験時を示すフラグが付与されている場合に、前記実行・停止制御手段は、受信した基準時刻情報に付与されたフラグからサマータイム運用時であると判断した場合に、前記オフセット値更新手段の実行制御を行なうことを特徴とする請求項１３記載のコンピュータ装置。
【発明の詳細な説明】
【０００１】
【発明の属する技術分野】
この発明は、例えば放送局の番組送出システムに適用され、処理基準となる基準時刻の変動に対応した制御を行なう時刻管理制御システムとその時刻管理装置及び端末装置、及びコンピュータ装置に関する。
【０００２】
【従来の技術】
近年、例えば放送局の番組送出システムにあっては、処理基準となる基準時刻の変動に対応した制御を行なう時刻管理制御システムを適用している。この種のシステムでは、例えばパーソナル・コンピュータ等の端末装置にて、外部時計サーバから受信した基準時刻情報を解析して、基準時刻が大きく過去に戻ったり、未来に進んだ場合に、内部時計の補正を行なうようにしている。
【０００３】
ところで、基準時刻の変動については、例えば閏年、閏秒、サマータイムによるものもあれば、外部時計サーバの試験的運用によるものもある。ここで、試験運用の際に、外部時計サーバが大きな時刻変化をした場合に、それに伴って端末装置内部の時計も補正されるため、データベースや各プロセスで使用しているデータ等に多大な影響を与えることになるといった問題が生じることになる。
【０００４】
また、上記システムでは、外部時計サーバがサマータイム対応であり、端末装置がサマータイム非対応である場合に、サマータイム運用中に外部時計サーバから受信する基準時刻情報に従って端末装置が内部時計の時刻補正を行なうと時刻の不整合が発生してしまうことになる。
【０００５】
【発明が解決しようとする課題】
以上のように従来考えられている時刻管理制御システムでは、種々の運用状況に関係なく基準時刻が変動した場合に、端末装置が外部時計サーバから受信した基準時刻情報に従って内部時計の補正を行なうことになり、端末装置内部のデータベースや各プロセスの処理に悪影響を及ぼすといった問題を有している。
【０００６】
そこで、この発明の目的は、運用状況による影響を受けることなく、また基準時刻の変動に対し各端末装置もしくは各プロセスの処理上に悪影響を及ぼすことなく効果的に対処し得る時刻管理制御システムとその時刻管理装置及び端末装置、及びコンピュータ装置を提供することにある。
【０００７】
【課題を解決するための手段】
この発明に係る時刻管理制御システムは、基準時刻を管理する時刻管理装置と、時計手段を有し、この時計手段で計測される時刻と前記基準時刻との差分値を基準に動作する端末装置とを備える時刻管理制御システムにおいて、端末装置から時刻管理装置に対し基準時刻を問い合わせる問い合わせ手段と、問い合わせに対し、時刻管理装置から端末装置に対し送信される基準時刻情報に時刻管理装置の運用状況を示すフラグを付与して送信する基準時刻情報送信手段と、基準時刻情報を受信した端末装置により基準時刻情報と時計手段で計測される時刻情報とを比較して基準時刻の変動を判断し、その変動量に応じて、差分値の更新を行なう差分値更新手段と、端末装置にて受信した基準時刻情報に付与されたフラグを抽出し、このフラグから時刻管理装置の運用状況を判断し、この判断結果に基づいて、差分値更新手段に対して処理の実行・停止を制御する実行・停止制御手段とを備えるようにしたものである。
【０００８】
なお、基準時刻情報送信手段は、基準時刻情報に基準時刻対応による運用時／試験時を示すフラグを付与して送信し、実行・停止制御手段は、受信した基準時刻情報に付与されたフラグから基準時刻対応による運用時であると判断した場合に、差分値更新手段の実行制御を行ない、試験時であると判断した場合に、差分値更新手段の停止制御を行なうことを特徴とする。
【０００９】
この構成によれば、端末装置が必要に応じて時刻管理装置に対し基準時刻を問い合わせると、時刻管理装置では、基準時刻を問い合わせた端末装置に対し、基準時刻情報に自装置が基準時刻対応による運用時／試験時であることを示すフラグを付与して送信する。そして、基準時刻情報を受信した端末装置は、基準時刻情報からフラグを抽出して基準時刻と時計手段で計測される時刻との差分値となるオフセット値を更新する必要があるか否かを判断し、このフラグが基準時刻対応による運用時である旨を示す場合に、基準時刻情報と時計手段で計測される時刻情報とを比較して基準時刻の変動を判断し、その変動量に応じて、オフセット値の更新を行なうようにし、フラグが試験時である旨を示す場合に、オフセット値の更新処理を停止するようにしている。
【００１０】
このため、端末装置では、時刻管理装置の試験運用時に間違って内部時計を補正してしまうような恐れを回避でき、また、時刻管理装置の基準時刻対応による運用時にも内部時計を補正するのではなくこの内部時計の時刻と基準時刻とのオフセット値を補正するので、基準時刻の変動に対処するために端末装置内のデータベースや各プロセスに多大な影響を与えずに済み、この装置は基準時刻非対応で動作することができる。
【００１１】
また、この発明に係る時刻管理制御システムは、上記対象において、基準時刻の変動が検出された際に、時刻管理装置から端末装置に対し基準時刻情報に運用状態を示すフラグを付加して送信する基準時刻情報送信手段と、基準時刻情報を受信した端末装置により基準時刻情報と時計手段で計測される時刻情報とを比較して基準時刻の変動を判断し、その変動量に応じて、差分値の更新を行なう差分値更新手段と、端末装置にて受信した基準時刻情報に付与されたフラグを抽出し、このフラグから時刻管理装置の運用状況を判断し、この判断結果に基づいて、差分値更新手段に対して処理の実行・停止を制御する実行・停止制御手段とを備えるようにしたものである。
【００１２】
上記構成では、時刻管理装置に試験運用がなされている状態で、時刻管理装置から基準時刻に変動があったことによる基準時刻情報が送信されると、端末装置側で間違って試験運用の基準時刻情報に従ってオフセット値が更新されてしまい、内部の処理系に多大な影響を与えてしまうことになる。そこで、上記構成では、時刻管理装置に試験運用がなされている場合に、試験運用時の旨を示すフラグを付加した基準時刻情報を時刻管理装置から端末装置に対し通知するようにすれば、この通知を受けた端末装置では、基準時刻の変動があってオフセット値を更新しないようにすることができる。
【００１３】
また、この発明に係るコンピュータ装置は、内部時刻計測プロセスと、外部からの基準時刻情報を入力する基準時刻情報入力プロセスと、この基準時刻情報入力プロセスにより入力される基準時刻情報と内部時刻計測プロセスにより計測される時刻とを比較してオフセット値を算出し格納するオフセット値記憶プロセスと、内部時刻計測プロセスで計測される時刻もしくはオフセット値記憶プロセスに格納されたオフセット値に基づいて動作する複数の処理プロセスとを備えるコンピュータ装置において、基準時刻情報に運用状況を示すフラグが付与されているとき、基準時刻情報が入力された際に、この基準時刻情報と内部時刻計測プロセスによる時刻とを比較して基準時刻の変動を判断し、この変動量に応じて、オフセット値記憶プロセスに格納されたオフセット値の更新を行なうオフセット値更新手段と、受信した基準時刻情報からフラグを抽出し、このフラグから運用状況を判断し、この判断結果に基づいて、オフセット値更新手段に対して処理の実行・停止を制御する実行・停止制御手段とを備えるようにしたものである。
【００１４】
具体的には、基準時刻情報にサマータイム運用時／試験時を示すフラグが付与されている場合に、実行・停止制御手段は、受信した基準時刻情報に付与されたフラグからサマータイム運用時であると判断した場合に、オフセット値更新手段の基準時刻非対応時刻での実行制御を行ない、試験運用時であると判断した場合に、オフセット値更新手段の停止制御を行なうことを特徴とする。
【００１５】
この構成によれば、上記で示した時刻管理制御システムをコンピュータ装置内に適用すれば、サマータイム運用時に基準時刻非対応時刻でのオフセット値の更新を行ない、試験時には基準時刻の変動があってもオフセット値の更新を行なわないようにするので、複数の処理プロセスは、運用状況に影響されることなく、更新されたオフセット値を参照し、基準時刻の変動に対応した処理を実行することができる。また、基準時刻の変動に応じて内部時刻計測プロセスにより計測される時刻の較正を行なうことがないので、各処理プロセス間の処理の不整合を防ぐことができる。
【００１６】
また、時刻管理装置がサマータイム対応で、端末装置がサマータイム非対応で動作させることが可能となる。
【００１７】
【発明の実施の形態】
以下、この発明の実施形態について図面を参照して詳細に説明する。
【００１８】
（第１の実施形態）
図１は、この発明に係る時刻管理制御システムの第１実施形態の構成を示すブロック図である。図中符号１１は時刻管理装置で、基準時計１２で計測される基準時刻の管理を行なうものである。また、このシステムでは、基準時計１２で計測される基準時刻と内部時計で計測される時刻とのオフセット値を保持する機能を有し、この保持されたオフセット値に基づき動作を行なうパーソナル・コンピュータ等の端末装置ＰＳ１と、基準時計１２で計測される時刻で動作を行なう端末装置ＰＳ２〜ＰＳＮを備えている。なお、これら時刻管理装置１１、基準時計１２及び複数の端末装置ＰＳ１〜ＰＳＮは、例えばネットワーク等により接続されている。
【００１９】
時刻管理装置１１は、サマータイム対応の基準時刻情報送信機能を備えている。基準時刻情報送信機能は、問い合わせのあった端末装置ＰＳ１に対し、送信すべき基準時刻情報に自装置の運用状況を示すフラグを付加して送信する。ここでの運用状況としては、サマータイム運用と試験運用との２つのパターンがある。
【００２０】
これに対し、端末装置ＰＳ１は、それぞれ問い合わせ機能と、基準時刻情報受信機能と、オフセット値更新機能と、オフセット値更新制御機能とを備えている。このうち、問い合わせ機能は、時刻管理装置１１に対し一定期間毎に基準時刻を問い合わせる。
【００２１】
基準時刻受信機能は、問い合わせに対し時刻管理装置１１から送信される基準時刻情報を受信する。オフセット値更新機能は、基準時刻情報受信機能で受信した基準時刻情報と内部時計で計測される時刻情報とを比較して基準時刻の変動を判断し、その変動量に応じてオフセット値の更新を行なう。
【００２２】
オフセット値更新制御機能は、基準時刻情報受信機能により受信した基準時刻情報に付加されるフラグを抽出し、このフラグから時刻管理装置１１がサマータイム運用を行なっているか試験運用を行なっているかを判断し、この判断結果からサマータイム運用であると判断した場合に、オフセット値更新機能のサマータイム非対応での実行制御を行ない、試験運用であると判断した場合に、オフセット値更新機能の停止制御を行なう。
【００２３】
次に、以上のように構成されたシステムの動作を説明する
いま例えば、図２に示すように端末装置ＰＳ１から時刻管理装置１１に対し基準時刻の問い合わせを行なったとする。そうすると時刻管理装置１１では、サマータイム対応の基準時刻情報にサマータイム運用時／試験運用時を示すフラグを付加して問い合わせた端末装置ＰＳ１に送信する。
【００２４】
以後、端末装置ＰＳ１は、基準時刻情報からフラグを抽出してオフセット値を更新する必要があるか否かを判断し、このフラグがサマータイム運用時である旨を示す場合に、基準時刻情報と内部時計で計測される時刻情報とを比較して基準時刻の変動を判断し、その変動量に応じて、サマータイム非対応時刻でのオフセット値の更新を行なうようにし、フラグが試験運用時である旨を示す場合に、オフセット値の更新処理を停止する。
【００２５】
次に、端末装置ＰＳ１内部のソフトウェア構成について図３を参照して説明する。
図３において、端末装置ＰＳ１は、基準時刻入力プロセス１０１と、内部時計プロセス１０２と、オフセット値記憶プロセス１０３と、処理プロセス１０４１〜１０４Ｍと、オフセット値更新プロセス１０５と、オフセット値更新制御プロセス１０６とにより構成されている。
【００２６】
このうち、処理プロセス１０４１〜１０４Ｍは、それぞれ内部時計プロセス１０２で計測される時刻及びオフセット値記憶プロセス１０３に記憶されたオフセット値を基準に種々の処理を行なう。
【００２７】
基準時刻プロセス１０１は、外部からの基準時刻情報を入力するプロセスである。オフセット値更新プロセス１０５は、基準時刻入力プロセス１０１に基準時刻情報が入力された際に、この基準時刻情報と内部時計プロセス１０２で計測される時刻とを比較して基準時刻の変動を判断し、この変動量に応じて、オフセット値記憶プロセスに記憶されたオフセット値の更新を行なう。
【００２８】
オフセット値更新制御プロセス１０６は、基準時刻入力プロセス１０１に入力された基準時刻情報からフラグを抽出し、このフラグからサマータイム運用時であると判断した場合に、オフセット値更新プロセス１０５のサマータイム非対応時刻での実行制御を行ない、試験運用時であると判断した場合に、オフセット値更新プロセス１０５の停止制御を行なう。
【００２９】
このような構成であれば、サマータイム運用時にサマータイム非対応時刻でのオフセット値の更新を行ない、試験運用時には基準時刻の変動があってもオフセット値の更新を行なわないようにするので、複数の処理プロセス１０４１〜１０４Ｍは、運用状況に影響されることなく、かつサマータイム非対応で更新されたオフセット値を参照し、基準時刻の変動に対応した処理を実行することができる。また、基準時刻の変動に応じて内部時計プロセス１０２により計測される時刻の較正を行なうことがないので、各処理プロセス１０４１〜１０４Ｍ間の処理の不整合を防ぐことができる。
【００３０】
以上述べたように上記第１の実施形態では、端末装置ＰＳ１が必要に応じて時刻管理装置１１に対し基準時刻を問い合わせると、時刻管理装置１１では、基準時刻を問い合わせた端末装置ＰＳ１に対して、基準時刻情報にサマータイム運用時／試験運用時を示すフラグを付加して送信する。そして、基準時刻情報を受信した端末装置ＰＳ１は、基準時刻情報からフラグを抽出してオフセット値を更新する必要があるか否かを判断し、このフラグがサマータイム運用時である旨を示す場合に、基準時刻情報と内部時計で計測される時刻情報とを比較して基準時刻の変動を判断し、その変動量に応じて、サマータイム非対応時刻でのオフセット値の更新を行なうようにし、フラグが試験運用時である旨を示す場合に、オフセット値の更新処理を停止するようにしている。
【００３１】
このため、端末装置ＰＳ１では、試験運用時に間違って内部時計を補正してしまうような恐れを回避でき、また、大きな時間の変化があった場合にも内部時計を補正するのではなくこの内部時計の時刻と基準時刻とのオフセット値を補正するので、基準時刻の変動に対処するために端末装置ＰＳ１内のデータベースや各プロセスに多大な影響を与えずに済む。また、時刻管理装置１１がサマータイム対応、端末装置ＰＳ１がサマータイム非対応での動作が可能となる。
【００３２】
（第２の実施形態）
図４は、この第２の実施形態に係わる時刻管理制御システムの構成及び動作手順を示すブロック図である。なお、図４において、上記図１と同一部分には同一符号を付して詳しい説明は省略する。
【００３３】
ここでの時刻管理装置１１は、基準時刻情報配信機能と、基準時刻情報配信制御機能とを備えている。基準時刻情報配信機能は、基準時計１２で計測される基準時刻の変動が検出された場合に、複数の端末装置ＰＳ１〜ＰＳＮに対しサマータイム対応の基準時刻情報を配信する。基準時刻情報配信制御機能は、時刻管理装置１１の運用状況に応じて、基準時刻情報配信機能に対して処理の実行・停止を端末装置毎に制御する。
【００３４】
これに対し、端末装置ＰＳ１は、基準時刻情報受信機能と、オフセット値更新機能と、オフセット値更新制御機能とに加えて、新たに運用状況監視機能を備えている。運用状況監視機能は、端末装置ＰＳ１の動作が試験運用時の動作であるかを検出する。
【００３５】
次に、以上のように構成されたシステムの動作を説明する。
いま例えば、時刻管理装置１１で試験運用が行なわれているとする。時刻管理装置１１は、基準時刻の変動が検出された場合に、端末装置ＰＳ２〜ＰＳＮに対し基準時刻情報を送信し、端末装置ＰＳ１に対し基準時刻情報に試験運用である旨を示すフラグを付加して送信する。
【００３６】
ここで、時刻管理装置１１に試験運用がなされている状態で、時刻管理装置１１から基準時刻に変動があったことによる基準時刻情報が送信されると、端末装置ＰＳ１側で間違って試験運用の基準時刻情報に従ってオフセット値が更新されてしまい、内部のデータベース等に多大な影響を与えてしまうことになる。
【００３７】
そこで、上記第２の実施形態では、試験運用時の旨を示すフラグを付加した基準時刻情報を時刻管理装置１１から端末装置ＰＳ１に対し通知しておくだけで、端末装置ＰＳ１に対し基準時刻の変動があってもオフセット値を更新しないようにすることができる。
【００３８】
従って、上記第２の実施形態によれば、時刻管理装置１１の運用状況に応じて時刻管理装置１１側で基準時刻情報送信の際に運用状況を示すフラグを付加することで、端末装置ＰＳ１に対しデータベースや各プロセスに多大な影響を与えずに済む。
【００３９】
（その他の実施形態）
この発明は上記各実施形態に限定されるものではない。例えば、無線回線を使用したデータ通信システムや移動電話システム等にもこの発明を適用することが可能である。
その他、端末装置の種類や構成、運用状況の種類や端末装置と時刻管理装置と間の送受信手順等についても、この発明の要旨を逸脱しない範囲で種々変形して実施できる。
【００４０】
【発明の効果】
以上詳述したようにこの発明によれば、運用状況による影響を受けることなく、また基準時刻の変動に対し各端末装置もしくは各プロセスの処理上に悪影響を及ぼすことなく効果的に対処し得る時刻管理制御システムとその時刻管理装置及び端末装置、及びコンピュータ装置を提供することができる。
【図面の簡単な説明】
【図１】この発明に係わる時刻管理制御システムの第１の実施形態の構成を示すブロック図。
【図２】図１に示したシステムにおける動作を説明するための図。
【図３】図１に示した端末装置のソフトウェア構成を示すブロック図。
【図４】この発明に係わる時刻管理制御システムの第２の実施形態の構成及び動作を示すブロック図。
【符号の説明】
１１…時刻管理装置、
１２…基準時計、
１０１…基準時刻入力プロセス、
１０２…内部時計プロセス、
１０３…オフセット値記憶プロセス、
１０４１〜１０４Ｍ…処理プロセス、
１０５…オフセット値更新プロセス、
１０６…オフセット値更新制御プロセス、
ＰＳ１〜ＰＳＮ…端末装置。
【図１】
0004434461.tif 000002
【図２】
0004434461.tif 000003
【図３】
0004434461.tif 000004
【図４】
0004434461.tif 000005